(57)【要約】【課題】製品サイズの小型化を実現できる接続端子構造を提供する。【解決手段】接続端子構造は、絶縁性材料からなる第１基体２２２に配置され、板状を呈する導電性材料からなる複数の第１端子部材２２１を有する入力端子部２２と、第２基体３１２Ｇに配置され、第１端子部材２２１がそれぞれ挿入されるスリット３１２Ｂが設けられ、各スリット３１２Ｂの長手方向に沿って並べて設けられた複数の収納部３１２Ｅ及び収納部３１２Ｅを覆うケースカバー３１２Ｆを有する絶縁性材料からなるケース３１２と、各収納部３１２Ｅにそれぞれ収納され、挿入された第１端子部材２２１の板状の面に一端が弾性接触することにより電気的に接続するとともに第１端子部材２２１を押圧力により固定し、他端がケース３１２に設けられた接続孔３１２Ａから外部へ延伸する導電性材料からなる複数のコイルばね３１１で構成された第２端子部材３１０とを有する出力端子部３１とを備える。【選択図】      図１０
2020102401.tif 000002
【特許請求の範囲】
【請求項１】
絶縁性材料からなる第１基体に配置され、板状を呈する導電性材料からなる複数の第１端子部材を有する入力端子部と、
第２基体に配置され、前記第１端子部材がそれぞれ挿入されるスリットが設けられ、前記各スリットの長手方向に沿って並べて設けられた複数の収納部および前記収納部を覆うケースカバーを有する絶縁性材料からなるケースと、前記各収納部にそれぞれ収納され、前記スリットに挿入された前記第１端子部材の板状の面に一端が弾性接触することにより電気的に接続するとともに前記第１端子部材を押圧力により固定し、他端が前記ケースに設けられた接続孔から外部へ延伸する、導電性材料からなる複数のコイルばねで構成された第２端子部材と、を有する出力端子部と、
を備える接続端子構造。
【請求項２】
前記ケースは、前記第１端子部材が前記スリットに挿入される方向に向かって誘い面が設けられることを特徴とする請求項１に記載の接続端子構造。
【請求項３】
前記ケースの中央部に仕切り板が設けられ、前記スリットは前記仕切り板の両側に、それぞれ前記仕切り板と前記複数の収納部との間に形成されることを特徴とする請求項１または２に記載の接続端子構造。
【請求項４】
前記ケース内において、
前記ケースの一面の壁面に平行して中央部に設けられる仕切り板と、
前記壁面に沿って並べて設けられ、前記壁面に対向する方向に向けて開口を有する複数の収納部による第１区画部と、
前記仕切り板に沿って並べて設けられ、前記第１区画部の収納部と同じ方向に向けた開口を有する複数の収納部による第２区画部と、を備え、
前記スリットは、一方が前記仕切り板および前記第１区画部との間に形成され、他方が前記第２区画部および前記壁面に対向する壁面との間に形成されることを特徴とする請求項１または２に記載の接続端子構造。
【請求項５】
固体光源および前記固体光源が表面に配置される光源基板を有する光源部と、
電源基板を介して前記光源部に電力を供給する電源部と、
前記光源基板上に設置される絶縁性材料からなる第１基体に配置され、前記光源基板上の配線パターンと電気的に接続され、板状を呈する導電性材料からなる複数の第１端子部材を有する入力端子部と、
前記電源基板上に設置される第２基体に配置され、前記第１端子部材がそれぞれ挿入されるスリットが設けられ、前記各スリットの長手方向に沿って並べて設けられた複数の収納部および前記収納部を覆うケースカバーを有する絶縁性材料からなるケースと、前記各収納部にそれぞれ収納され、前記スリットに挿入された前記第１端子部材の板状の面に一端が弾性接触することにより電気的に接続するとともに前記第１端子部材を押圧力により固定し、他端が前記ケースに設けられた接続孔から外部へ延伸する、前記電源基板上の配線パターンと電気的に接続され、導電性材料からなる複数のコイルばねで構成された第２端子部材と、を有する出力端子部と、
を備える光源ユニット。
【請求項６】
前記ケースは、前記第１端子部材が前記スリットに挿入する方向に向かって誘い面が設けられることを特徴とする請求項５に記載の光源ユニット。
【請求項７】
前記ケースの中央部に仕切り板が設けられ、前記スリットは前記仕切り板の両側に、それぞれ前記仕切り板と前記複数の収納部との間に形成されることを特徴とする請求項５または６に記載の光源ユニット。
【請求項８】
前記ケース内において、
前記ケースの一面の壁面に平行して中央部に設けられる仕切り板と、
前記壁面に沿って並べて設けられ、前記壁面に対向する方向に向けて開口を有する複数の収納部による第１区画部と、
前記仕切り板に沿って並べて設けられ、前記第１区画部の収納部と同じ方向に向けた開口を有する複数の収納部による第２区画部と、を備え、
前記スリットは、一方が前記仕切り板および前記第１区画部との間に形成され、他方が前記第２区画部および前記壁面に対向する壁面との間に形成されることを特徴とする請求項５または６に記載の光源ユニット。
【請求項９】
前記光源部および前記電源部が取り付けられる取付部材を備えることを特徴とする請求項５から８のいずれか１項に記載の光源ユニット。
【請求項１０】
前記光源部を覆い、光拡散性を有する絶縁性材料からなるカバーを備えることを特徴とする請求項５から９のいずれか１項に記載の光源ユニット。
【請求項１１】
請求項５から１０のいずれか１項に記載の光源ユニットと、前記光源ユニットが着脱可能に取付けられる器具本体とを備える照明器具。
【発明の詳細な説明】
【技術分野】
【０００１】
本発明は、電源部における電気的接続を端子部材同士の機械的接続で実現する接続端子構造、およびこの接続端子構造を用いる光源ユニットと照明器具に関する。
【背景技術】
【０００２】
従来の照明器具の電源接続端子構造は、光源用基板と電気的かつ機械的に接続するように入力端子部が構成された複数の第１端子部材と、電源部の基板と電気的かつ機械的に接続するように出力端子部が構成された板バネ状に形成された複数の第２端子部材とが接触することで電気的接続する構造がある（例えば、特許文献１参照）。
【先行技術文献】
【特許文献】
【０００３】
【特許文献１】特開２０１７−１７４５７１号公報
【発明の概要】
【発明が解決しようとする課題】
【０００４】
特許文献１に記載の発明では、入力端子部と電気的に接続される出力端子部（第２端子部材）の板バネ構造にて十分なバネ性を持たせるために、板バネのサイズをある程度以上に大きく持たせる必要がある。そのため、照明器具のサイズ増大と材料、組立コスト増大につながってしまい、製品を小型化することが困難であった。
また、第１端子部材と第２端子部材とを繋ぐ棒状の導電体を接続、挿入する組立作業の精度が高く要求され、自動組み立て装置の高度化、検査工程の追加などが懸念される。
【０００５】
本発明は、上述のような問題を解決するためになされたもので、製品サイズの小型化、組立工程の簡素化を実現できる接続端子構造、および、この接続端子構造を用いる光源ユニットと照明器具を提供することを目的とする。
【課題を解決するための手段】
【０００６】
本発明に係る接続端子構造は、絶縁性材料からなる第１基体に配置され、第１基体の長手方向に沿って板状を呈する導電性材料からなる複数の第１端子部材を有する入力端子部と、第２基体に配置され、第１端子部材がそれぞれ挿入されるスリットが設けられ、各スリットの長手方向に沿って並べて設けられた複数の収納部および収納部を覆うケースカバーを有する絶縁性材料からなるケースと、各収納部にそれぞれ収納され、スリットに挿入された第１端子部材の板状の面に一端が弾性接触することにより電気的に接続するとともに第１端子部材を押圧力により固定し、他端がケースに設けられた接続孔から外部へ延伸する、導電性材料からなる複数のコイルばねで構成された第２端子部材と、を有する出力端子部と、を備える。
【０００７】
本発明に係る光源ユニットは、固体光源および固体光源が表面に配置される光源基板を有する光源部と、電源基板を介して光源部に電力を供給する電源部と、光源基板上に設置される絶縁性材料からなる第１基体に配置され、光源基板上の配線パターンと電気的に接続され、第１基体の長手方向に沿って板状を呈する導電性材料からなる複数の第１端子部材を有する入力端子部と、電源基板上に設置される第２基体に配置され、第１端子部材がそれぞれ挿入されるスリットが設けられ、各スリットの長手方向に沿って並べて設けられた複数の収納部および収納部を覆うケースカバーを有する絶縁性材料からなるケースと、各収納部にそれぞれ収納され、スリットに挿入された第１端子部材の板状の面に一端が弾性接触することにより電気的に接続するとともに第１端子部材を押圧力により固定し、他端がケースに設けられた接続孔から外部へ延伸する、電源基板上の配線パターンと電気的に接続され、導電性材料からなる複数のコイルばねで構成された第２端子部材と、を有する出力端子部と、を備える。
本発明に係る照明器具は、上述した光源ユニットと、この光源ユニットを収容し、かつ、着脱可能に取付けられる器具本体とを備える。
【発明の効果】
【０００８】
本発明に係る接続端子構造によれば、端子部の小型化を実現すると同時に、製品サイズも小型化することができる。
また、本発明に係る接続端子構造を用いる光源ユニットと照明器具によれば、端子部の小型化を実現すると同時に、製品サイズも小型化できる。かつ、第１端子部材と電気的に接続される第２端子部材であるコイルばねは複数あるため、高精度な作業が不要で、組立作業を簡素化できる。
【図面の簡単な説明】
【０００９】
【図１】本発明の実施の形態１に係る照明器具の断面図である。
【図２】本発明の実施の形態１に係る照明器具の器具本体の斜視図である。
【図３】本発明の実施の形態１に係る照明器具の電源部と取付部材の斜視図である。
【図４】本発明の実施の形態１に係る照明器具の電源部と取付部材の長手方向の断面図である。
【図５】本発明の実施の形態１に係る接続端子構造における入力端子部の斜視図である。
【図６】本発明の実施の形態１に係る接続端子構造における入力端子部の第１端子部材の斜視図である。
【図７】本発明の実施の形態１に係る接続端子構造における出力端子部の斜視図である。
【図８】本発明の実施の形態１に係る接続端子構造における出力端子部の内部構造の斜視図である。
【図９】本発明の実施の形態１に係る接続端子構造における出力端子部の第２端子部材の斜視図である。
【図１０】本発明の実施の形態１に係る接続端子構造における入力端子部の第１端子部材と出力端子部の第２端子部材の接合箇所の短手方向の断面図である。
【図１１】本発明の実施の形態２に係る接続端子構造における出力端子部の内部楮の断面斜視図である。
【発明を実施するための形態】
【００１０】
実施の形態１．
本発明の実施の形態１に係る光源ユニット及び照明器具について説明する。
なお、以下に説明する実施形態は天井に取り付けられる照明器具を例示し、方向についても「上側」あるいは「下側」という表現を用いるが、実施形態の照明器具は壁などの天井以外の場所に取り付けられる照明器具であっても構わない。例えば壁に取り付ける照明器具の場合は、適宜「壁側」「室内側」等と置き換えて読むこととする。
【００１１】
また、本発明は以下の実施の形態に限定されず、本発明に係る技術的思想を逸脱しない範囲であれば、設計等に応じて変更が可能である。
実施の形態１の照明器具１は、図１に示すように光源ユニット２と光源ユニット２を収容する器具本体１０で構成される。器具本体１０は吊りボルト２００に固定され、天井１００に直付けされる。光源ユニット２は器具本体１０に対して着脱可能に取り付けられる。
【００１２】
器具本体１０は、図２に示すように板金に曲げ加工を施すことで長尺かつ扁平な箱状に形成される。器具本体１０は光源ユニット２を収容するための矩形凹部１１が器具本体１０の長手方向の全長に亘って設けられている。また、器具本体１０の短手方向における矩形凹部１１の両側にはそれぞれ傾斜部１２が設けられている。傾斜部１２は矩形凹部１１の開口端縁から器具本体１０の短手方向に延出し、かつ、器具の外側に延びるにつれて上方に向かうよう傾斜している。
また、矩形凹部１１の上部である凹部天板１１１には、電源線３０を通すための天板孔１１１Ａが設けられている。さらにこの凹部天板１１１には、長手方向における両端寄りの位置に吊りボルト２００を通すための天板孔１１１Ｂがそれぞれ設けられている。
【００１３】
光源ユニット２は、取付部材２０、光源部２１、カバー２１０、電源部３を備える。
光源部２１（図示せず）は、複数個の固体光源２１１、例えば、ＬＥＤモジュールを備えることが望ましい。固体光源２１１（図示せず）は、長手方向に長い矩形形状に形成された光源基板２１２の表面（図１において光源基板２１２の下面）に、複数個長手方向に並んで配置されている。
【００１４】
図１において、カバー２１０は、光拡散性を有する絶縁性材料であり、例えば乳白色の半透明樹脂を用い、光源部２１を覆うように、取付部材２０側の面が開口する長尺の箱形に形成されている。また、カバー２１０は、短手方向において両端側から中央側に行くほど下側への突出量が大きくなるような凸レンズ形状の曲面部２１０Ａを有している。
カバー２１０の短手方向における両端部には、図１に示すように、光源ユニット２を器具本体１０に取り付けた状態で、上下方向において器具本体１０の矩形凹部１１の開口端縁より上側に入り込んだ位置において突出部２１０Ｂがそれぞれ設けられている。さらに、カバー２１０の短手方向において突出部２１０Ｂの内側には、上側に延びる爪部２１０Ｃが長手方向全長に亘って設けられている。また、器具本体１０の矩形凹部１１の開口端縁に相当する高さから、それぞれ内向きに支持片２１０Ｄが突出している。
【００１５】
取付部材２０は、板金に曲げ加工を施すことでＵ字状に形成され、長尺かつ矩形形状に形成された底板２０１と、底板２０１の短手方向における両端から上向きに延出される一対の側板２０２とで構成される。
カバー２１０は、爪部２１０Ｃが取付部材２０の側板２０２と嵌り合うことで、上下方向の固定がなされる。
【００１６】
図３は電源部３と取付部材２０の斜視図、図４は電源部３と取付部材２０の長手方向の断面図である。取付部材２０の底板２０１には切り起こし部２０１Ａが設けられている。底板２０１の上に電源部３が乗るように配置されており、電源部３は切り起こし部２０１Ａに接触する位置にある。
取付部材２０には、入力端子部２２と出力端子部３１が貫通できるよう取付貫通部２０１Ｂが設けられている。電源部３が組立時に取付部材２０に配置されるとき、電源部３に配置されている複数の出力端子部３１は取付部材２０の厚み方向から見て取付貫通部２０１Ｂと重なる位置に配置されている。複数の入力端子部２２は取付部材２０の厚み方向から見て取付貫通部２０１Ｂと重なる位置に配置されている。
電源部３が組立時に取付部材２０に配置される前工程または後工程にて、光源部２１の光源基板２１２は予め取付部材２０の下面に配置されており、機械的方法または接着的方法により固定されている。
電源部３は、電源基板３２を介して光源部２１に電力を供給する。より具体的には、電源線３０から供給される交流電流を、規定電圧の直流電流へと変換する。直流電流は電源基板３２を介して出力端子部３１から出力され、入力端子部２２を介して光源部２１の光源基板２１２へと供給される。
【００１７】
図５は光源部２１の光源基板２１２上に設置される入力端子部２２の斜視図である。入力端子部２２は、絶縁性材料からなる第１基体２２２、および第１基体２２２の長手方向に沿って板状を呈する複数の導電性材料からなる第１端子部材２２１を有する。第１端子部材２２１が第１基体２２２に配置され、第１基体２２２に支持されるように構成され、光源基板２１２上の配線パターンと電気的に接続されている。ここで、例えば、２個の第１端子部材２２１は、それぞれ正極と負極の入力電源端子に対応する。
図６は第１端子部材２２１の斜視図である。第１端子部材２２１には、基板貫通部２２１Ａが形成されており、光源基板２１２の上下面を繋ぐ小孔を貫通して、光源基板２１２の下面の配線パターンと電気的に接続され、固体光源２１１まで電流を導通させる。
図７は電源部３の電源基板３２に設置される出力端子部３１の斜視図である。電源基板３２の下面に配線パターンが設けられており、出力端子部３１も電源基板３２の下面に設けることで貫通孔を空けることなく電気的に接続することができる。
【００１８】
出力端子部３１は、複数のコイルばね３１１で構成された第２端子部材３１０と、第２端子部材３１０を覆うケース３１２で構成される。ケース３１２の端部には、第２端子部材３１０を構成する各コイルばね３１１のコイル端部３１１Ａを外部へ延伸する複数個の接続孔３１２Ａが設けられている。コイルばね３１１から延びるコイル端部３１１Ａは適宜曲げ形状が設けられており、電源基板３２の面にある配線パターンと接触または導電性を有する低融点金属による接合によって電気的に接続されている。絶縁性材料からなるケース３１２は、入力端子部２２に対向して電源基板に当接する第２基体３１２Ｇに、仕切り板３１２Ｃ、長手方向のスリット３１２Ｂ、第１端子部材がスリットに挿入する方向に向かって誘い面３１２Ｄ、およびケースカバー３１２Ｆが設けられている。
【００１９】
図８は、ケース３１２のケースカバー３１２Ｆを外し、内部構造が見えるようにした斜視図である。ケース３１２において、中央部に仕切り板３１２Ｃが設けられている。第２基体３１２Ｇ上に、第１端子部材２２１がそれぞれ挿入されるスリット３１２Ｂは、仕切り板３１２Ｃの両側に、それぞれ仕切り板３１２Ｃと複数の収納部３１２Ｅとの間に形成される。複数の小部屋状の収納部３１２Ｅは、スリット３１２Ｂの長手方向に沿って並べて配置されている。各収納部３１２Ｅにそれぞれ第２端子部材３１０を構成する導電性材料からなるコイルばね３１１が収納されている。
第２端子部材３１０を構成する各コイルばね３１１の一端がスリット３１２Ｂ内に挿入された第１端子部材２２１の板状の面に弾性接触することにより、電気的に接続するとともに第１端子部材２２１を押圧力により固定し、第２端子部材３１０を構成する各コイルばね３１１の他端がケース３１２に設けられた接続孔３１２Ａから外部へ延伸し、電源基板上の配線パターンと電気的に接続される。ここで、例えば、仕切り板３１２Ｃの両側の複数個の収納部３１２Ｅには、それぞれ正極と負極の出力電源端子に対応する複数個のコイルばね３１１を収納する。
なお、ケースカバー３１２Ｆは、スリット３１２Ｂ部分を除いて収納部３１２Ｅの全体を覆うように設けられている。
また、第２基体３１２Ｇ、仕切り板３１２Ｃ、誘い面３１２Ｄおよび収納部３１２Ｅの壁は、絶縁性材料で一体成形されることが可能である。
図９は、第２端子部材３１０を構成する１つのコイルばね３１１の斜視図である。コイルばね３１１は、１回または複数回巻かれたコイル３１１Ｂの両端に、一端に製品組み立て時に入力端子部２２の第１端子部材２２１と接触し電気的に接続される箇所となる接点部３１１Ｃを有し、他端に配線パターンと電気的に接続されるコイル端部３１１Ａを有する。コイルばね３１１は、第１端子部材２２１と接続する一端の接点部３１１Ｃがスリット３１２Ｂ側に向けるように配置されている。
以上の接続端子構造によって、入力端子部２２の複数個の第１端子部材２２１のそれぞれは、出力端子部３１の第２端子部材３１０のうちの対応する複数のコイルばね３１１と電気的に接続される。
【００２０】
図１０は、入力端子部２２と出力端子部３１が接続される接続端子構造を有する接続部３００の短手方向の断面図である。すなわち、図１０に示すように、２枚の第１端子部材２２１はそれぞれ出力端子部３１の仕切り板３１２Ｃの両側のスリット３１２Ｂに挿入し、収納部３１２Ｅに収納されるコイルばね３１１と接続される。
電源部底板３３には、出力端子部３１が貫通できるよう底板貫通部３３１が設けられている。電源部３の内部に電源基板３２が配置されるとき、電源基板に配置されている１個または複数個の出力端子部３１は、電源部底板３３の厚み方向から見て底板貫通部３３１と重なる位置になるような位置関係で、出力端子部３１が電源基板３２の裏面に配置されている。
取付部材２０には、入力端子部２２と出力端子部３１が貫通できるよう取付貫通部２０１Ｂが設けられている。電源部３が組立時に取付部材２０に配置されるとき、電源部３に配置されている複数の出力端子部３１は取付部材２０の厚み方向から見て取付貫通部２０１Ｂと重なる位置に配置されている。複数の入力端子部２２は取付部材２０の厚み方向から見て取付貫通部２０１Ｂと重なる位置に配置されている。
【００２１】
電源部３が組立時に取付部材２０に配置される前工程または後工程にて、光源部２１の光源基板２１２は予め取付部材２０の下面に配置されており、機械的方法または接着的方法により固定されている。光源部２１の光源基板２１２上面に配置されている入力端子部２２の第１端子部材２２１と、電源部３の電源基板３２下面に配置されている出力端子部３１の第２端子部材３１０を構成するコイルばね３１１の接点部３１１Ｃが機械的に接触することで導通が取られている。
光源ユニットの接続構造を上記構成とすることにより、サイズの小型化および組立工程数の低減を実現することができる。
【００２２】
第２端子部材３１０がコイルばね状に形成されていることにより、ケース３１２の高さを小さく抑え収納部３１２Ｅがごく狭い空間となった場合でも、機械的接触と電気的導通に必要なバネ性を大きくすることが可能となり、電源基板３２裏面と光源部２１の光源基板２１２上面との間というごく狭い領域内においても、入力端子部２２と出力端子部３１の機能を実現する機構を設けることができる。
出力端子部３１のコイルばね３１１で構成された第２端子部材３１０を長手方向に複数個配置することで、入力端子部２２と出力端子部３１の位置決めが長手方向にずれた場合でも、入力端子部２２の長手方向に長く、導電性を有する板状部材と確実に導通させることができる。
入力端子部２２と出力端子部３１の位置決めが短手方向にずれても、ケース３１２に第１端子部材２２１がスリット３１２Ｂに挿入する方向に向かって誘い面３１２Ｄを設けているため、組立挿入動作により自ら端子同士が導通する位置に誘い込まれるため、確実に電気的接続をすることができる。
【００２３】
実施の形態１に係る接続端子構造、およびこの接続端子構造を用いる光源ユニットと照明器具によれば、端子部の小型化を実現すると同時に、製品サイズも小型化することができる。また、取付部材２０に電源部３を取り付けることにより、第１端子部材と第２端子部との電気的接続が完結することで、組立作業を簡素化できる。
【００２４】
実施の形態２．
本発明の実施の形態２に係る接続端子構造について説明する。実施の形態２では、本発明の実施の形態１と相違する部分について説明し、同一または対応する部分についての説明は省略する。
実施の形態２では、出力端子部３１および入力端子部２２の接続端子構造が実施の形態１と異なる。光源ユニットと照明器具のほかの構成は実施の形態１と同様である。
【００２５】
図１１は、実施の形態２に係る出力端子部の内部構造の斜視図である。ケース３１２内において、ケース３１２の一面の壁面に平行して中央部に仕切り板３１２Ｃが設けられる。仕切り板３１２Ｃに平行するケース３１２の当該壁面に沿って並べて、当該壁面に対向する方向に向けて開口を有する複数の収納部３１２Ｅによる第１区画部３１２Ｉが設けられる。また、中央部の仕切り板３１２Ｃに沿って並べて、第１区画部３１２Ｉの収納部の開口方向と同じ方向に向けた開口を有する複数の収納部３１２Ｅによる第２区画部３１２Ｊが設けられる。スリット３１２Ｂの一方が仕切り板３１２Ｃと第１区画部３１２Ｉとの間に形成され、他方が第２区画部３１２Ｊおよび第１区画部３１２Ｉが設けられる壁面に対向する壁面との間に形成される。すなわち、第１端子部材２２１が挿入されるスリット３１２Ｂは、それぞれ中央部の仕切り板３１２Ｃの横、およびケース３１２の壁面の内側に設けられる。コイルばね３１１を収納する収納部３１２Ｅは、実施の形態１同様に、各スリット３１２Ｂの長手方向に沿って並べて配置され、スリット３１２Ｂに向けて開口を有する。
第１区画部３１２Ｉの収納部３１２Ｅに収納され、一方の第１端子部材２２１に弾性接続する１個または複数個の第２端子部材３１０を構成するコイルばね３１１の接点部３１１Ｃが、中央部の仕切り板３１２Ｃに近くなる側に配置される。第２区画部３１２Ｊの収納部３１２Ｅに収納され、他方の第１端子部材２２１に弾性接続する１個または複数個のコイルばね３１１の接点部３１１Ｃが、ケース３１２の壁面に近くなる側に配置されている。
実施の形態２の構成によれば、第１端子部材２２１は、それぞれ中央部の仕切り板３１２Ｃ側とケース３１２の壁面の内側とのスリット３１２Ｂに挿入することになる。ケース３１２の誘い面３１２Ｄも、１個または複数個の接点部３１１Ｃが存在する箇所に合わせて設ける。
また、実施の形態２に係る出力端子部３１の構造に伴い、入力端子部２２においても、広くなったスリット３１２Ｂの間の間隔に挿入するため、複数の第１端子部材２２１の間の間隔も広くでき、端子部材間の短絡が防止できる。
【００２６】
実施の形態２に係る接続端子構造、およびこの接続端子構造を用いる光源ユニットと照明器具によれば、実施の形態１と同様の効果を実現すると同時に、入力端子部２２の複数個の第１端子部材２２１の間の間隔を広くすることが可能となる。
【００２７】
実施の形態３．
本発明の実施の形態３に係る光源ユニット及び照明器具について説明する。実施の形態３では、本発明の実施の形態１または実施の形態２と相違する部分について説明し、同一または対応する部分についての説明は省略する。
実施の形態３では、出力端子部３１および入力端子部２２の接続端子構造が実施の形態１または実施の形態２と同じであるが、出力端子部３１および入力端子部２２の設置方向が異なる。光源ユニットと照明器具のほかの構成は実施の形態１または実施の形態２と同様である。
【００２８】
実施の形態３では、光源部２１の光源基板２１２の上面に配置されている入力端子部２２を、第１端子部材２２１の導電性材料からなる板状形状が短手方向に平行になるよう配置する。電源部３の電源基板３２の下面に配置されている出力端子部３１を、ケース３１２に設けられたスリット３１２Ｂが短手方向に平行になるよう配置する。
また、光源部２１の光源基板２１２の配線パターンと、電源部３の電源基板３２の配線パターンを入力端子部２２と出力端子部３１に合わせて設計する。
【００２９】
実施の形態３に係る接続端子構造、およびこの接続端子構造を用いる光源ユニットと照明器具によれば、実施の形態１または実施の形態２と同様の機能および効果を実現すると同時に、長手方向と短手方向の向きを入れ替えても同様に実現可能であるため、光源ユニット及び照明器具の設計の自由度が高くなる。
また、第１端子部材２２１の配置方向と、出力端子部３１のケース３１２のスリット３１２Ｂの方向は、長手方向や短手方向に限定されない。出力端子部３１の方向とスリット３１２Ｂの方向が電源部３の組立時に一致するように揃えてある限りにおいて、任意の角度に配置することが可能である。
【００３０】
なお、本発明は、発明の範囲内において、各実施の形態を自由に組み合わせることや、各実施の形態を適宜、変形、省略することが可能である。
【符号の説明】
【００３１】
１  照明器具、２  光源ユニット、３  電源部、１０  器具本体、１１  矩形凹部、１２  傾斜部、２０  取付部材、２１  光源部、２２  入力端子部、３０  電源線、３１  出力端子部、３２  電源基板、３３  電源部底板、１００  天井、１１１  凹部天板、１１１Ａ  天板孔、１１１Ｂ  天板孔、２００  吊りボルト、２００Ａ  ナット、２０１  底板、２０１Ａ  切り起こし部、２０１Ｂ  取付貫通部、２０２  側板、２１０  カバー、２１０Ａ  曲面部、２１０Ｂ  突出部、２１０Ｃ  爪部、２１０Ｄ  支持片、２１１  固体光源、２１２  光源基板、２２１  第１端子部材、２２１Ａ  基板貫通部、２２２  第１基体、３００  接続部、３１０  第２端子部材、３１１  コイルばね、３１１Ａ  コイル端部、３１１Ｂ  コイル、３１１Ｃ  接点部、３１２  ケース、３１２Ａ  接続孔、３１２Ｂ  スリット、３１２Ｃ  仕切り板、３１２Ｄ  誘い面、３１２Ｅ  収納部、３１２Ｆ  ケースカバー、３１２Ｇ  第２基体、３１２Ｉ  第１区画部、３１２Ｊ  第２区画部、３３１  底板貫通部
【図１】
2020102401.tif 000003
【図２】
2020102401.tif 000004
【図３】
2020102401.tif 000005
【図４】
2020102401.tif 000006
【図５】
2020102401.tif 000007
【図６】
2020102401.tif 000008
【図７】
2020102401.tif 000009
【図８】
2020102401.tif 000010
【図９】
2020102401.tif 000011
【図１０】
2020102401.tif 000012
【図１１】
2020102401.tif 000013